(57)【要約】      （修正有）【課題】ゴルフクラブシャフトに対する適切なグリップを確保するゴルフグローブを提供する。【解決手段】ゴルフグローブ１ａ、１ｂの手のひら部分２ａ、２ｂを横切るパッド９ａ、９ｂを設ける。ゴルフグローブ１ａのパッド９ａは手のひら全体に延在する。ゴルフグローブ１ｂのパッド９ｂは、人差し指の外縁から中指の中手指節関節の中間まで延在する。シャフトをグリップしたときパッド９ａ、９ｂが重ならないようにをパッド９ａ、９ｂの長さを設定する。ヘッドを地面上にソールし、グローブ１ａ、１ｂを着用した上側および下側の握り手がクラブシャフトの握り部分を手のひら部分２ａ、２ｂを横切ってパッド９ａ、９ｂに当接するように受けた場合、シャフトは指の根本を斜めに横切る位置にある。そして、ゴルフクラブヘッドから離れた握り部分を受けるよう、手がシャフトの周囲を握った場合、ゴルフクラブの適切なグリップが自動的に確保される。【選択図】図１
2005087725.tif 000002
【特許請求の範囲】
【請求項１】
手のひら部分と、
前記手のひら部分の一部分を斜めに横切って親指部分と親指以外の指部分との間を延在し、前記手のひら部分に固定された突部状の細長いガイドパッドと、を備えたゴルフグローブであって、
前記ガイドパッドは手の横しわと実質的に平行であり、前記ガイドパッドの第１端部に対応する第１位置と前記ガイドパッドの第２端部に対応する第２位置との間の範囲にわたってゴルフグローブの前記手のひら部分を横切って延在し、
前記範囲は前記手のひら部分の全幅よりも実質的に小さく、
前記ガイドパッドは、第２の突部状の細長いガイドパッドを備えた第２のグローブとともに用いられた場合に、障害物を形成しない長さを有する
ことを特徴とするゴルフグローブ。
【請求項２】
前記ガイドパッドは断面において略８ミリメートルの直径を有する
ことを特徴とする請求項１に記載のゴルフグローブ。
【請求項３】
前記第１位置はグローブの人差し指部分の略外縁であり、前記第２位置はグローブの第２指部分の略中間である
ことを特徴とする請求項１に記載のゴルフグローブ。
【請求項４】
前記ガイドパッドは実質的にコアを取り囲むシースを有する
ことを特徴とする請求項１に記載のゴルフグローブ。
【請求項５】
前記コアは実質的に円柱状の形状である
ことを特徴とする請求項４に記載のゴルフグローブ。
【請求項６】
前記コアは実質的に硬い発泡材料からなる
ことを特徴とする請求項４に記載のゴルフグローブ。
【請求項７】
第１のグローブと第２のグローブとを備えた一対のゴルフグローブであって、
前記第１のグローブは、
手のひら部分と、
前記手のひら部分の一部分を斜めに横切って親指部分と親指以外の指部分との間を延在し、前記手のひら部分に固定された突部状の細長いガイドパッドと、を有し、
前記ガイドパッドは手の横しわと実質的に平行であり、前記ガイドパッドの第１端部に対応する第１位置と前記ガイドパッドの第２端部に対応する第２位置との間の範囲にわたってゴルフグローブの前記手のひら部分を横切って延在し、
前記ガイドパッドは、第２の突部状の細長いガイドパッドを備えた第２のグローブとともに用いられた場合に、障害物を形成しない長さを有し、
前記第２のグローブは、
第２の手のひら部分と、
前記第２の手のひら部分の一部分を斜めに横切って第２の親指部分と第２の親指以外の第２の指部分との間を延在し、前記第２の手のひら部分に固定された突部状の細長い第２のガイドパッドと、を有し、
前記第２のガイドパッドは第２の手の横しわと実質的に平行であり、前記第２のゴルフグローブの前記第２の手のひら部分を横切って延在し、
前記第２のガイドパッドは、前記第１のグローブとともに用いられた場合に、障害物を形成しない長さを有する
ことを特徴とする一対のゴルフグローブ。
【請求項８】
前記第１のガイドパッドおよび前記第２のガイドパッドは断面において略８ミリメートルの直径を有する
ことを特徴とする請求項７に記載のゴルフグローブ。
【請求項９】
前記第１のグローブの前記第１位置は前記第１のグローブの人差し指部分の略外縁であり、前記第２位置は前記第１のグローブの第２指部分の略中間である
ことを特徴とする請求項７に記載のゴルフグローブ。
【請求項１０】
前記第２のガイドパッドは実質的に前記第２のグローブの前記第２の手のひら部分全体を横切って延在する
ことを特徴とする請求項７に記載のゴルフグローブ。
【請求項１１】
前記第１のガイドパッドおよび前記第２のガイドパッドは実質的にコアを取り囲むシースをそれぞれ有する
ことを特徴とする請求項７に記載のゴルフグローブ。
【請求項１２】
前記コアは実質的に円柱状の形状である
ことを特徴とする請求項１１に記載のゴルフグローブ。
【請求項１３】
前記コアは実質的に硬い発泡材料からなる
ことを特徴とする請求項１１に記載のゴルフグローブ。
【発明の詳細な説明】
【発明の背景】
【０００１】
本発明は、ゴルフクラブの適切なグリップを確保するための共同するガイドパッド（guide pads）を備えたゴルフグローブに関する。さらに詳しくは、本発明は、各グローブの手のひら部分に配置された長さの異なる細長いガイドパッドを備えた改良された一対のゴルフグローブに関する。各ガイドパッドは、ゴルファーの手の中でゴルフクラブの末端の端部の位置を調整しながら、適切にグリップした状態で、ゴルフクラブの末端の握り端部を各手の一揃いの隣り合う指関節部に押しつける。
【０００２】
従来式ゴルフグローブを改良してゴルファーによるクラブのグリップを改善するための様々な試みが行われてきた。クラブの握り部分が手の中で調整されて適切にグリップされるように、１つのゴルフグローブの指部分または手のひら部分に１つ以上のパッドが形成された、いくつかのタイプのゴルフグローブが開発されてきた。これらの内のいくつかのゴルフグローブは、ゴルフクラブの適切なグリップを促進するために、グローブの手のひら部分に当て物を付加され、または詰め物をされたものとして知られている。これらのグローブの例は、スワンソン（Swanson）の米国特許４，０００，９０３、モロニー（Moroney）の米国特許３，８６３，２７１、ヌン（Nunn）の米国特許２，２５８，９９９、バハ（Bach）の米国特許４，３２９，７４１、ストリクラー（Strickler）の米国特許３，６４８，２９２、およびラプレイ（Lappley）の米国特許５，２５３，３６７に示されている。
【０００３】
ゴルフクラブ握り部の適切なグリップを促進する視認可能な指標を含むゴルフグローブも、該技術分野において知られている。これらの指標の例は、エルキン（Elkins）の米国特許３，８４８，８７４、ミニック（Minnick）の米国特許４，９６２，５４７、およびセイント・ビル（St. Ville）の米国特許５，６３４，２１４に示されている。
【０００４】
しかしながら、従来技術のグローブによって検討されていない、ゴルフのプレー中に通常表面化する問題がまだ存在する。視認可能な指標についての問題は、指標自体が手を正確な位置に自動的に配置するわけではないこと、また、所定位置におけるわずかな変動を抑制するために手の中におけるクラブの感触を考慮していない点である。このような視認可能な指標を用いる場合、ゴルファーは、当然に適切なスタンス等を維持しながら、ゴルフクラブの握り部分を見て指標に沿って調整するため、ボールから注意をそらさなければならない。そして、スイングしている間、スイングを通して適切なグリップ状態を視認可能な指標によって保つことができるわけではない。
【０００５】
パッドを付加されたゴルフグローブに存在する問題の１つは、適切なグリップを確立するため、第２の手側に何のガイドも設けないままにして、一方の側だけのグローブが改造されている点である。仮に実現可能として、２つの従来技術のグローブを用いた場合、パッドは互いに影響を及ぼしあい、またそうでなければ、２つの手によるグリップを調整することができない。共同する一対のゴルフグローブ、あるいは、何らかのパッド構成を備えた第１の従来式のゴルフグローブとともに用いられる場合において、第２の手への使用に適合する１つのゴルフグローブに対する大きな要求がある。
【発明の概要】
【０００６】
本発明によれば、従来式の一対のゴルフグローブに、ゴルフグローブの手の手のひら部分を横切るパッドが設けられている。使用中、パッドは、適切なグリップのため、ゴルフクラブシャフトの握り部分に当接して自動的にシャフトを調整する。ガイドパッドはグローブの手のひら部分を横切って配置されている。これにより、ゴルフクラブのヘッドが地面上にソールされ、グローブを着用したゴルファーの上側および下側の握り手がクラブシャフトの握り部分をグローブの手のひら部分を横切ってパッドに当接するように受けた場合、シャフトは指の根本（the roots of the fingers）を斜めに横切る位置にあるだろう。次に、当て物を付加されたまたは詰め物をされたパッドが、ゴルフクラブのゴルフクラブヘッドから離れた握り部分を受けるようにして、手がシャフトの周囲で閉じられた場合、ゴルフクラブの適切なグリップが自動的に確保されるだろう。パッドは、指の根本を斜めに横切る手の末端の横しわ（the distal transverse crease of the hand）と略平行である。好ましくは、第１グローブのパッドは実質的に手の手のひら全体に延在する。好ましくは、第２グローブのパッドは、人差し指の略外縁から手の中指の中手指節関節の略中間まで延在する。シャフトの握り部分は先細となっているので、ガイドパッドは指による適切なグリップラインに平行な線から、シャフトの先細りと同等の量だけ傾けられてもよい。
【０００７】
ガイドパッドは異なる長さに形成され、各グローブのそれぞれの手のひら部分に相互補完的に配置される。これにより、パッドが互いに干渉したり、重なり合ったりすることなく、２つの手によって適切にグリップする位置に各手は配置され得る。これにより、ゴルファーがクラブ上で各手の２つの指を噛み合わせてなるインターロッキング・グリップを用いた場合でさえも、両手の完全に適切な配置が可能となる。
【０００８】
好ましくは、ガイドパッドは、両端部が閉じグローブの手のひら部分に縫い込まれた円筒状革製シースから形成される。シースは、好ましくは、スタイロフォーム（Styrofoam）または同様な発泡タイプの製品からなる半剛体の付加材料（詰め物材料）を収容するポケットを形成することが好ましい。これにより、シースはゴルフクラブの握り部分を受けるように構成された外側凸面を維持する。この場合、シースは握り部分の周りを移動することができ、これにより、様々なクラブハンドルに適応し、ゴルファーが特別に適合された握り部分を有さない自分の所有する道具を用いることを可能とする。ガイドパッドは、パッドがゴルフクラブの握り部を部分的に包囲し握り部を指関節部に向けて押しつけることを可能にする距離だけ指の基部から離間して配置される。また、ガイドパッドは、グリップするための圧力がゴルフクラブに加えられた場合に手の手首に接する部分（the heels of the hands）から間隔が空くように配置される。詰め物をされたシースは、握り部がグローブを着用した手の上に支えられることを可能にしながら、シャフト上に重なるので、ゴルファーは変わらない快適なグリップと、従来式ゴルフグローブにより得られるクラブシャフトの感触とを失うことはないだろう。ガイドパッドは、略円柱状の形状で、ゴルフクラブの握り部分を適切な位置に押しつけるのに充分な幅を有している。しかしながら、手の手首に接する部分に当接して、クラブの感触を悪くするとともに手が握り部分の周囲を包囲することを制限するような幅ではない。
【０００９】
つまり、本発明の目的は、ゴルフクラブシャフトに対する適切なグリップを確保するだろうガイドパッドを備えた一対のゴルフグローブを提供することである。
【００１０】
本発明の他の目的は、従来式のグローブに、グローブの手のひら部分を横切って延在し、ゴルフクラブシャフトの握り部分に当接してゴルファーの両方の握り手を互いに影響を及ぼすことなく２つの手による適切なグリップ位置へ自動的に配置するように配置される共同する一対のガイドパッドを提供することである。
【００１１】
本発明のさらなる目的は、いずれの従来式グローブに適用し得る、適切なグリップのためのガイドを提供することである。
【００１２】
本発明の他の目的は、ゴルファーの上側の握り手用のゴルフグローブであって、地面にソールされたゴルフクラブのシャフトに対向して配置された場合、自動的にゴルファーの手がシャフトに対して適切なグリップ位置にあるようにするゴルフグローブを提供することである。
【００１３】
本発明の他の目的は、ゴルファーの下側の握り手用のゴルフグローブであって、地面にソールされたゴルフクラブのシャフトに対向して配置された場合、自動的にゴルファーの手がシャフトに対して適切なグリップ位置にあるようにするゴルフグローブを提供することである。
【００１４】
本発明の他の目的は、ゴルファーがゴルフクラブの感触を維持することを可能としたままで、改良された一対のゴルフグローブを提供することである。
【００１５】
本発明の他の目的は、クラブのスイング中を通してゴルフクラブシャフトを適切な位置に維持するパッドを備えたゴルフグローブを提供することである。
【００１６】
本発明のさらなる目的は、詰め物の付加や隆起部等の特別な形状を有する第２のゴルフグローブの使用に干渉しないように構成されたガイドパッドを備えた１つのゴルフグローブを提供することである。
【００１７】
本発明の他のさらなる目的は、以下の詳細な説明と本発明の好ましい実施の形態を示す添付図とから、当業者に明らかになるだろう。
【発明を実施するための形態】
【００１８】
図面は右利き用の一対のグローブを示しているが、本発明は左利き用のグローブにも適用され得ることを理解されるべきである。なぜなら、本発明のガイドパッドは、ゴルファーが右利きであるか左利きであるかに関わらず、ゴルファーの上側および下側の握り手に適用することができるからである。
【００１９】
図１に示されるゴルフグローブ１ａ，１ｂは、すべての指のそろった子ヤギ革製のゴルフグローブであり、手のひら部分２ａ，２ｂと、親指部分３ａ，３ｂと、人差し指、すなわち第１指部分４ａ，４ｂと、第２指、すなわち中指部分５ａ，５ｂと、薬指、すなわち第３指部分６ａ，６ｂと、小指、すなわち第４指部分７ａ，７ｂと、手首部分８ａ，８ｂと、を備えている。このグローブ構成が従来式であり、本発明によるガイドパッドを含むように修正され得るゴルフグローブの単なる例示に過ぎないことが理解されるだろう。グローブは、革や合成樹脂等のような、いずれかの適切な材料から構成されてもよい。グローブ１ａ，１ｂは、部分的な親指部分および部分的な親指以外の指部分を備えたグローブ形状を含む、他のゴルフグローブ形状に置き換えられてもよい。また、グローブ１ａ，１ｂは、ベルクロ（Velcro  登録商標）、その他のフックアンドループファスナー、スナップファスナー、締めひも（laces）、またはグローブを固定するための他の手段を用いて、手首の周りに固定されてもよい。なぜなら、本発明によるガイドパッドは、そのようなタイプのゴルフグローブすべてに適用し得るからである。
【００２０】
本発明のグローブ１ａ，１ｂは、一段高い、盛り上がった突部状のパッド９ａ，９ｂを、手のひら部分２ａ，２ｂにそれぞれ有している。使用者の手がグローブ１ａ，１ｂ内に挿入された場合に、パッド９ａ，９ｂが手の中手指節関節（the metacarpal-phalangeal joints）上に重なるグローブの部分に隣接して位置するように、パッド９ａ，９ｂはグローブの手のひら部分２ａ，２ｂに配置されている。ゴルフクラブのスイング中、パッド９ａ，９ｂは、グローブ材料と、その下にあり中手指節関節を覆う皮膚とのねじれ移動を規制する。本発明のグローブ１ａ，１ｂを用いてゴルフクラブをグリップした場合、パッド９ａ，９ｂは、握り部を使用者の手の指骨基部（the proximal phalanges）に隣接して配置することを手助けする。これにより、クラブは手の手のひらというよりはむしろ指により正確なグリップ状態においてグリップされる。
【００２１】
図１に示されるように、パッド９ａ，９ｂは、グローブの人差し指すなわち第１指の略外縁（the outer edge）から、使用者の手の手のひらの横しわ（a transverse crease）に実質的に平行な線１０ａ，１０ｂに沿って、指の根本（the roots of the fingers）を斜めに横切っている。手の手のひらの横しわにおける一人一人の相違に起因して、いくらかの特定の人の手において完全な直線状ではないしわを含み、横しわの傾きの軌跡は似ている。しかしながら、一般に、クラブが地面にソールされて握り部分が手の開いた手のひらに受けられる場合に、横しわの線はゴルフクラブシャフトの握り部分の正確な位置を示す。パッド９ａ，９ｂは線１０ａ，１０ｂに対して実質的に平行にそれぞれ配置され、手の母子球（the thenar eminence）を覆うグローブの部分１１ａ，１１ｂから上方に離間される。なぜなら、従来式ゴルフクラブシャフトは上側の手によってグリップされる領域において先細りとなっているので、パッド９ａ，９ｂは、先細りに順応するため、横しわによって形成される線に向けてわずかに近寄らせてもよい。
【００２２】
グローブ１ａのパッド９ａは、実質的に手のひら部分２ａ全体に延びるようにして、人差し指、すなわち第１指部分４ａの略外縁から小指部分７ａの略外縁まで延在している。グローブ１ｂのパッド９ｂは、人差し指、すなわち第１指部分４ｂの略外縁から、第２指、すなわち中指部分５ｂの略中間まで延在している。パッド９ｂはパッド９ａよりも短い長さを有しており、これにより、グローブは、パッド９ａ，９ｂが互いに干渉したり影響し合ったりすることなく、２つの手による適切なグリップをもたらそうとする。本発明において重要なのは、個々のガイドパッドの具体的な長さよりむしろ相対的な長さであることを理解されるべきである。この好ましい実施の形態で示されている相対的な長さは、使用者が上側の手の第１の２つの指と下側の手の第２の２つの指とを噛み合わせるような接近したグリップを用いた場合でさえも、１つのパッドが他のパッドにのしかかったり、重なり合ったりすることなく、様々な握り部に順応することができるようになされている。
【００２３】
本発明を用いて所望の快適性を得るとともにグリップをさらに向上させるため、パッド９ａ，９ｂの直径はグローブのサイズと、およびクラブのゴルフクラブ握り部分の大きさおよび先細り具合とに合わせて変更してもよい。この好ましい実施の形態において、パッド９ａ，９ｂは略８ミリメートルの直径となっており、略円柱状でコア詰め物（the core padding）を有している。コア詰め物は、コア詰め物上に重なるグローブ材料が不適切に包み、しわになり、または折り目が付くことなく、シース（筒入れ物）の外表面を支えるのに十分な厚みを有している。
【００２４】
図２に示されているように、（例示のためにここで用いられており、パッドの構成はパッド９ｂの構成と実質的に同一である）パッド９ａは、円柱状の発泡体コア（foam core）１２、プラスチック製棒状体、ゴム製棒状体、あるいは同様に比較的硬いが曲げることができいくらか弾力のある材料から形成される。なお、発泡体コアはスタイロフォーム（Styrofoam）から構成されてもよい。好ましくは、図２のパッド９ａは長手方向の剛性とかなりの弾力をもたらし、これにより、パッドがしわになり、折れ、つぶれてしまうことを防止する。しかしながら、同時に、パッド９ａ，９ｂはゴルフクラブの握り部の先細り部とともにゴルファーの手の輪郭に沿って追従するため、十分に変形し得る。図２に示されているように、コア１２はシース１３にすっぽり包まれる。好ましくは、シース１３は、手のひら部分２ａを形成するグローブ材料と同一の材料から形成される。パッド９ａは、その長さ全体にわたってシース１３の下側を手のひら部分２ａに縫い付けることにより、手のひら部分２ａに固定される。縫い付け１４は、粘着あるいは他の接合材料に置き換えられ得る。
【００２５】
図３および図４に示されるように、ヘッドから握り部分１５まで延びるゴルフクラブシャフト１６の、先細りとなった握り部分１５は、手のひら部分２ａ，２ｂを有するグローブ１ａ，１ｂの装着者によりしっかりと握られる。グローブの手のひら部分２ａ，２ｂは、まず握り部分１５を取り囲み、図４に示されているように、パッド９ａ，９ｂの長さにわたって握り部分１５に当接する。次に、図４に示されているように、指が握り部分１５の周囲を包み、適切なグリップを確実にするため、パッド９ａ，９ｂが手の横しわに実質的に平行な線に沿って、握り部分１５とシャフト１６とに自動的に一直線に揃う。
【００２６】
従来式ゴルフクラブシャフトは左手のための握り領域を有している。この領域は、手の手首に接する部分における略１インチの直径から、手の親指部分における略８分の７インチの直径まで先細りしている。したがって、シャフトは、ゴルファーの左手で握られるその握り部分に沿って、直径で８分の１インチ減少する。ゴルフクラブシャフト１６を手の横しわに平行な線１０ａと整列させるため、パッド９ａは手首に接する部分から親指端部までで線に向けて略８分の１インチ近寄るようにしてもよい。
【００２７】
使用において、プレイヤーはグローブ１ａ，１ｂを彼の手上に配置するだろう。グローブ１ａは、通常、クラブがグリップされた場合にゴルフクラブの最も高い位置に配置される手に装着される。一度グローブ１ａが適切な手に配置されると、プレイヤーはクラブを選択し、ボールを打つ前にボールに対してアドレスする。次に、プレイヤーは、グローブを装着した手で、ゴルフクラブ握り部分１５をグリップする。この時、プレイヤーは、ガイドパッド９ａ，９ｂに沿って握り部分１５が整列しているかについての感触によって、クラブを適切にグリップしたか否かを確認し得るだろう。握り部分１５がガイドパッド９ａ，９ｂに沿って整列させられている場合には、プレイヤーはゴルフクラブを適切にグリップしている。もし、整列が完全でないなら、プレイヤーは、いまだボールに対してアドレスしている間に、パッド９ａ，９ｂが適切に整列するまで握り部上で手を回転するだろう。なぜなら、装着者は、ねじり移動と、パッド９ａ，９ｂの接合部から握り部分１５に対する抵抗とを感じることをできるからである。
【００２８】
パッド９ａ，９ｂは、自動的にゴルファーの手をゴルフクラブシャフト１６に対して適切に整列させるだけでなく、図５に示されるようにゴルファーによってシャフトがしっかりとグリップされた後において、図４に示されるように接合部が整列した状態を維持することができる。したがって、最初にグリップした後における整列不良が防止される。
【００２９】
図５はゴルファーの手が接近してゴルフクラブの握り部分１５周りをグリップした状態を示す。パッド９ａ，９ｂがゴルフクラブの握り部分１５に適切に当接するようにゴルファーの手が配置されると、シャフト周囲で手を閉じている間および閉じた後、そして、スイング中およびフォロウスイング中を通して、手は適切なグリップ状態に維持される。
【００３０】
本発明は一定の好ましい実施の形態を参照して説明されてきたが、いわゆる当業者は、ここに添付される特許請求の範囲のみによって区切られるべきであることを意図されている本発明の精神と範囲とから、離れることなく構成と材料とにおいて修正と変更とを行い得ることを理解するだろう。
【図面の簡単な説明】
【００３１】
【図１】本発明によるゴルフグローブの手のひら部分の平面図。
【図２】本発明によるガイドパッドの横断面図。
【図３】本発明によるゴルフグローブを着用し、ゴルフクラブシャフトの握り部に接近したゴルファーの左手と右手との斜視図。
【図４】本発明によるゴルフグローブを着用したゴルファーの左手および右手であって、握ってグリップする前に各パッドがゴルフクラブシャフトの握り部に対して当接させられた状態のゴルファーの左手および右手の斜視図。
【図５】ゴルフクラブの握り部の周りを握ってグリップした状態ゴルファーの手を示す図４と同様の斜視図。
【図１】
2005087725.tif 000003
【図２】
2005087725.tif 000004
【図３】
2005087725.tif 000005
【図４】
2005087725.tif 000006
【図５】
2005087725.tif 000007
【外国語明細書】
2005087725000001.pdf